(57)【要約】【課題】高齢者にとっては、掃除機の使用は、集塵ホースの取り回しも含め、その重量が負担となっている。そこで超軽量な掃除機を提供することを課題とする。【解決手段】以上の課題を解決するために、第一発明は、集塵部と動力部が完全に分離することにより超軽量とした掃除機である。遠心分離方式の超軽量集塵部は重量のある動力部で発生させる高圧エアーで駆動させる。その結果重く取り扱いが不便な蛇腹の集塵ホースを使用せず、遥かに細い直径の空圧チュ−ブを使用出来る。【選択図】図１
2007209498.tif 000002
【特許請求の範囲】
【請求項１】
集塵部と動力部が完全に分離した形態で、二つを極めて直系の細いチュ−ブで連結することにより、手で持つ部分の重さを超軽量とした掃除機
【請求項２】
集塵部の羽根の回転方向を反対同士として回転トルクの減少させた機械
【請求項３】
請求項１の装置を、高出力とした軽量掃除機
【請求項４】
動力部を室内の数箇所に設置し、コンセント用電力線と平行して、チュ−ブを敷設することにより、どの室内でも、動力源としての、高圧エアーを使用することが可能としたもの。チュ−ブ、コネクターの規格の標準化が望ましい。
【発明の詳細な説明】
【技術分野】
【０００１】
この発明は、集塵部と動力部が完全に分離した超軽量掃除機に関する。
【背景技術】
【０００２】
バイパスファンをもつ構造のコードレス携帯型高圧ブロワー。超小型ターボチャージャー。住宅建設用、高圧釘打機、エアインパクトドライバ、エアホース、コンプレッサー。遠心分離方式の集塵部を持つ掃除機。
【発明の開示】
【発明が解決しようとする課題】
【０００３】
高齢者にとっての掃除機の使用は、集塵ホースの取り回しも含め、その重量が負担となっている。そこで超軽量な掃除機を提供することを課題とする。
【課題を解決するための手段】
【０００４】
以上の課題を解決するために、第一発明は、集塵部と動力部が完全に分離することにより超軽量とした掃除機である。遠心分離方式の超軽量集塵部は重量のある動力部で発生させる高圧エアーで駆動させる。その結果重く取り扱いが不便な蛇腹構造の集塵ホースを使用せず、遥かに細い直径の空圧チュ−ブを使用出来る。昨今能力向上が著しい従来型の掃除機程の集塵能力はない。
【発明の効果】
【０００５】
手で持つ装置の重量は、１ｋｇ以下５００ｇ以上となるので、高齢者の筋力が衰えていても、掃除をしたい時になんとか操作できるので、生活環境を清潔に保つことが出来る。ヘルパーが掃除機によって行う清掃時間が必要なくなる。
【発明を実施するための最良の形態】
【０００６】
集塵部分は航空機等に利用されている材料を使用し徹底的な軽量化と高強度を実現する。カーボンカーボン部材、アルミ合金等々を費用と相談しながら採用する。従来掃除機で重かった、Ｔ字型の先端ノズルも出来る限り軽量化する。
この発明の一実施形態を、図１に示す。本発明の特徴的な部品構成は、以下の３つの部分、１．集塵部、２．チュ−ブ部、３．動力部からなる。
各要素の詳細説明。
集塵部。    毎日、毎回集塵したホコリを捨てるクリアービン部分の留め具は最高の耐久性の部品を使用する。これは、クリアービンを軽量化のために、出来るだけ小型化したためで、最大でも標準的な家庭３日分の容量の大きさとする。動力部より供給される高圧エアーで、超小型軽量ターボチャージャーに使用されているような、タービンの一方を回転させ、もう一方のタービン羽根が遠心分離方式の集塵部を構成する。集塵部のホコリは動力部の空気とは混じらない。このタービン羽根は自動車エンジンのターボチャージャー程の高温とはならない。
チュ−ブ部。  ホコリは通らないため、直径は極めて細くチュ−ブと制御線を複合させた、空気圧用ポリウレタンチュ−ブと各種電線が一体化したもの。チュ−ブの主要構成は以下の４つ、動力部よりの空圧チュ−ブ、集塵部よりの戻りのチュ−ブ、制御線、構造保持線。この構造保持線を付加けることにより、空圧チュ−ブの直径を更に細くし、柔軟性を持たせられる。空圧チュ−ブの直径は６ｍｍ位。産業用では「柔らかチューブ」などの商品名で空圧チューブが各種多数使用され、使用時の長さも１０ｍ以上である。
動力部。  チュ−ブに供給する、集塵部を駆動させる高圧エアーを発生させる。図ではバイパスファンをもつ構造の、コードレス携帯型高圧ブロワーの主要構造長時間の運転に耐えるよう改良して使用しているが、住宅建設用コンプレッサーを家庭用に改造したものでもよい。集塵部より、空気を戻す回路を設置した場合、高圧ブロワーに必要なモーター出力はさらに少なくなり、エアホースがパンパンに張りにくくなる。上記二つの構成要素ほど、動力部は軽量性を追及しない上に、こまめに移動する必要がないので、清掃中移動する必要があるため性能追求に制限がある従来掃除機より、静音性、衛生性、耐久性を追及した構造が出来る。例えば大型で効果の高い消音器などを装備出来る。モーター、トランス等を極端に軽量小型化する必要がないので、集塵部のコスト増が吸収出来る。又住宅建設用、高圧釘打機、エアインパクトドライバ、エアホース、コンプレッサーの技術も使える。住宅建設用エアインパクトドライバなどに接続するエアホースは屋外用で、最大圧力が１Mpaでも直径は１０．５ｍｍしかない。本発明で使用するエアーの最大圧力は０．４Mpa以下であり、高圧エアーというほどの強さではないが、便宜上高圧エアーと表現している。
【０００７】
「実施形態の効果」
本発明では通常の掃除機と異なり、動力部に回収する戻りの少々圧力の落ちた空気を、先端ノズルより吐出することにより、小物等のホコリを屋外で吹き飛ばすことが可能となる。ブロワー機能。
【０００８】
「他の実施形態」
動力部を室内の数箇所に設置し、コンセント用電力線と平行して、チュ−ブを敷設することにより、どの室内でも、動力源としての、高圧エアーを使用することが可能となる。
【図面の簡単な説明】
【０００９】
【図１】この発明の一実施形態の全体図を示す。
【図２】集塵部。
【図３】チュ−ブの断面図。実寸図、拡大図、従来のノズル径のノズル断面
【図４】動力部。
【符号の説明】
【００１０】
「図１」における符号
１  集塵部                              ２  チュ−ブ部
３  動力部
「図２」における符号
１  クリアービン（ホコリがたまる部分）  ２  遠心分離方式の小型集塵装置
３  超小型軽量タービン                  ４  表示部
５  ブロワースイッチ                    ６  引き金スイッチ
７  圧力制御装置                        ８  チュ−ブコネクター
９  集塵部よりの戻りの空気を示す        １０  動力部よりの空気を示す
１１  集塵部排出空気用フィルター        １２  集塵部排出空気を示す
１３  集塵部へのノズルはめ込み口        １４  集塵ノズル（従来掃除機と同じ太さ）
「図３」における符号
１  実寸図                              ２  高圧チュ−ブ拡大図
３  動力部よりの空圧チュ−ブ            ４  制御線
５  集塵部よりの戻りの空圧チュ−ブ      ６  構造保持線
７  従来掃除機のノズル実物大(直径３３ｍｍ位)
「図４」における符号
１  モーター、圧縮部                    ２  チュ−ブコネクター
３  制御部                              ４  電源トランス
５  移動用タイヤ                        ６  電源コンセント
７  巻き取った電源ケーブル              ８  大型排気口消音器
【図１】
2007209498.tif 000003
【図２】
2007209498.tif 000004
【図３】
2007209498.tif 000005
【図４】
2007209498.tif 000006